(57)【要約】【課題】コンテンツデータを閲覧した際に、容易に前記コンテンツデータの入手元を確認できる通信端末を得る。【解決手段】Ｗｅｂサイトへアクセスしてコンテンツデータをダウンロードする通信端末において、前記Ｗｅｂサイトのサイト名及び前記Ｗｅｂサイトのアドレス情報であるＵＲＬから構成されるブックマークデータと前記ブックマークデータ毎に付与される参照情報を記憶するブックマーク記憶部と、前記参照情報を前記コンテンツデータに関連付けて記憶するコンテンツ記憶部と、前記コンテンツデータを閲覧した際に、前記コンテンツデータに関連付けられた参照情報に基づき前記ブックマークデータを取得して、前記ブックマークデータの表示を指示する制御部と、前記制御部の指示に基づき前記ブックマークデータを表示する表示部とを備える。【選択図】図１
2007316857.tif 000002
【特許請求の範囲】
【請求項１】
Ｗｅｂサイトへアクセスしてコンテンツデータをダウンロードする通信端末において、
前記Ｗｅｂサイトのサイト名及び前記Ｗｅｂサイトのアドレス情報であるＵＲＬから構成されるブックマークデータと前記ブックマークデータ毎に付与される参照情報を記憶するブックマーク記憶部と、
前記参照情報を前記コンテンツデータに関連付けて記憶するコンテンツ記憶部と、
前記コンテンツデータを閲覧した際に、前記コンテンツデータに関連付けられた参照情報に基づき前記ブックマークデータを取得して、前記ブックマークデータの表示を指示する制御部と、
前記制御部の指示に基づき前記ブックマークデータを表示する表示部と、
を備えたことを特徴とする通信端末。
【請求項２】
前記制御部は、前記コンテンツデータに関連した参照情報に基づき、前記ブックマークデータを構成するＵＲＬを取得して前記Ｗｅｂサイトへアクセスすることを特徴とする請求項１記載の通信端末。
【請求項３】
前記表示部は、前記コンテンツデータに重ねて前記ブックマークデータの表示欄を表示することを特徴とする請求項１または請求項２記載の通信端末。
【請求項４】
コンテンツデータが添付されたメールを受信する通信端末において、
前記記憶部は、前記メールを送信した相手先の名前、電話番号及びメールアドレスから構成される電話帳データと前記電話帳データ毎に付与される参照情報を記憶する電話帳記憶部と、
前記参照情報を前記コンテンツデータに関連付けて記憶するコンテンツ記憶部と、
前記コンテンツデータを閲覧した際に、前記コンテンツデータに関連付けられた参照情報に基づき前記電話帳データを取得して、前記電話帳データを構成する名前の表示を指示する制御部と、
前記制御部の指示に基づき前記名前を表示する表示部と、
を備えたことを特徴とする通信端末。
【請求項５】
前記制御部は、前記コンテンツデータに関連した参照情報に基づき、前記電話帳データを構成する電話番号を取得して発呼することを特徴とする請求項４記載の通信端末。
【請求項６】
前記制御部は、前記コンテンツデータに関連した参照情報に基づき、前記電話帳データを構成するメールアドレスを取得して前記メールアドレスを送信先としたメールを生成することを特徴とする請求項４記載の通信端末。
【請求項７】
前記表示部は、前記コンテンツデータに重ねて前記名前の表示欄を表示することを特徴とする請求項４から請求項６のうちのいずれか１項記載の通信端末。
【発明の詳細な説明】
【技術分野】
【０００１】
この発明は、コンテンツデータを閲覧した際に、容易に前記コンテンツデータの入手元を確認できる技術に関する。
【背景技術】
【０００２】
従来の通信端末には、発信元端末を特定するアドレス情報が付加されたコンテンツデータを受信する受信手段と、前記受信手段で受信したコンテンツデータと前記アドレス情報とを関連付けて記憶する記憶手段と、前記アドレス情報により特定される発信元端末からの着信があった場合に、前記アドレス情報に関連付けられたコンテンツデータの再生を行う再生手段とを備え、他の端末からの着信があった場合に、関連付けられたコンテンツデータを再生することにより、誰から着信があったのかすぐに認識出来るようにしたものがある（例えば、特許文献１参照）。
【０００３】
【特許文献１】特開２００４−２１４９１５号公報
【発明の開示】
【発明が解決しようとする課題】
【０００４】
従来の通信端末は、上記のように構成されており、他の端末から受信があった場合には、コンテンツデータが再生されるので、誰から着信があったのかを認識することはできるが、コンテンツデータを閲覧した際に、前記コンテンツデータの入手元の情報が表示されないため誰から入手したコンテンツデータであるのかを確認するには着信履歴を検索するなどして調べる必要があり、使い勝手が非常に悪いという課題があった。
【０００５】
この発明は上記のような課題を解決するためになされたもので、コンテンツデータを閲覧した際に、容易に前記コンテンツデータの入手元を確認できる通信端末を得ることを目的とする。
【課題を解決するための手段】
【０００６】
この発明に係る通信端末は、Ｗｅｂサイトへアクセスしてコンテンツデータをダウンロードする通信端末において、前記Ｗｅｂサイトのサイト名及び前記Ｗｅｂサイトのアドレス情報であるＵＲＬから構成されるブックマークデータと前記ブックマークデータ毎に付与される参照情報を記憶するブックマーク記憶部と、前記参照情報を前記コンテンツデータに関連付けて記憶するコンテンツ記憶部と、前記コンテンツデータを閲覧した際に、前記コンテンツデータに関連付けられた参照情報に基づき前記ブックマークデータを取得して、前記ブックマークデータの表示を指示する制御部と、前記制御部の指示に基づき前記ブックマークデータを表示する表示部とを備える。
【発明の効果】
【０００７】
この発明によれば、コンテンツデータを入手元の情報と関連づけて記憶し、ユーザの操作に基づき、前記閲覧したコンテンツデータの入手元の表示を行うようにしたので、前記コンテンツデータを閲覧した際に、容易に前記コンテンツデータの入手元を確認できる効果がある。
【発明を実施するための最良の形態】
【０００８】
以下、この発明をより詳細に説明するために、この発明を実施するための最良の形態について、添付の図面に従って説明する。
実施の形態１．
実施の形態１では、通信端末として携帯電話を例に説明を行うが、本発明は携帯電話に限定されるものではなく、ＰＤＡ（Ｐｅｒｓｏｎａｌ  Ｄｉｇｉｔａｌ  Ａｓｓｉｓｔａｎｔｓ）やＰＣ（Ｐｅｒｓｏｎａｌ  Ｃｏｍｐｕｔｅｒ）等の通信機能を有する通信端末に適用することが可能である。図１は、本発明の実施の形態１による携帯電話の構成の一例を示したブロック図である。実施の形態１による携帯電話は、アンテナ１、送信部２、受信部３、表示部４、制御部５、レシーバ６、マイク７、操作部８、記憶部９を備えている。ここで、実施の形態１による携帯電話は、通常の携帯電話が有するその他の機能、例えば、通信機能、通話機能、メール送受信機能及びＷｅｂサイトへアクセスしてコンテンツデータをダウンロードする際に必要なブラウザ機能等を有するが、図１では、本発明の実施の形態１による携帯電話の主な特徴となる構成のみを示している。
【０００９】
アンテナ１は送信部２及び受信部３と接続されており、図示しない基地局等との間で無線通信を行う。また、アンテナ１は、基地局を通して外部より送信されてきた音声信号、メール、コンテンツデータ等のデータを受信して受信部３へ出力し、送信部２から出力される音声信号、コンテンツデータ、メール等のデータを前記基地局等へ送信する。送信部２は、制御部５から出力される音声信号、コンテンツデータ、メール等のデータを変調してアンテナ１へ出力する。受信部３は、アンテナ１より出力される音声信号、メール、コンテンツデータ等のデータを復調して制御部５へ出力する。
【００１０】
制御部５は、本発明の実施の形態１による携帯電話の内部構成の制御を行う。具体的には、受信部３から出力されるコンテンツデータがＷｅｂサイトからダウンロードしたものである場合、前記Ｗｅｂサイトのサイト名及びアドレス情報であるＵＲＬ（Ｕｎｉｆｏｒｍ  Ｒｅｓｏｕｒｃｅ  Ｌｏｃａｔｏｒ）を前記コンテンツデータに関連付けて記憶部９へ記憶する。受信部３から出力されるコンテンツデータがメールに添付されたものである場合、前記メールの送信先の名前、電話番号及びメールアドレスを前記コンテンツデータに関連付けて記憶部９へ記憶する。
【００１１】
また、本発明の実施の形態１による携帯電話のユーザ（以下、ユーザ）が記憶部９に記憶されたコンテンツデータの閲覧操作を行うと、前記コンテンツデータの表示を表示部４へ指示する。またユーザの操作に基づき、前記閲覧したコンテンツデータがＷｅｂサイトからダウンロードしたものである場合、前記Ｗｅｂサイトのサイト名及びアドレス情報であるＵＲＬを表示するよう表示部４へ指示、あるいは前記Ｗｅｂサイトへのアクセスを行う。また、前記閲覧したコンテンツデータがメールに添付されたものである場合、前記メールの送信先の名前を表示するよう表示部４へ指示、前記電話番号の発呼処理、あるいはメールアドレスを送信先としたメールの生成を行う。さらに、受信部３から出力される音声信号をレシーバ６へ出力すると共に、マイク７から出力される音声信号を送信部２へ出力する。
【００１２】
レシーバ６は、制御部５から出力される音声信号を音声に変換して空中へ放射する。マイク７は、ユーザの音声を音声信号へ変換して制御部５へ出力する。操作部８は、実施の形態１による携帯電話を操作するための操作ボタンであり、ユーザは操作部８を使用して所望の操作を行うことができる。記憶部９は、制御部５から出力される音声信号、コンテンツデータ、メール等のデータを記憶しており、ブックマーク記憶部９１、電話帳記憶部９２、コンテンツ記憶部９３、受信メール記憶部９４から構成される。
【００１３】
図２は、ブックマーク記憶部９１に記憶されているデータの構成を示した図であり、ブックマークＩＤ、サイト名及びＵＲＬから構成される。サイト名は、ユーザが実施の形態１による携帯電話からアクセスしたＷｅｂサイトのサイト名であり、ユーザが編集して変更することも可能である。ＵＲＬは前記Ｗｅｂサイトのアドレス情報であり、制御部５は前記アドレス情報に基づきＷｅｂサイトへアクセスする。ブックマークＩＤは、前記サイト名及び前記ＵＲＬからなるブックマークデータを制御部５が取得するための参照情報であり、前記ブックマークデータに関連付けてブックマーク記憶部９１へ記憶される。ここで、前記ブックマークデータは、コンテンツデータの入手元を示す情報を構成する。
【００１４】
図３は、電話帳記憶部９２に記憶されているデータの構成を示した図であり、電話帳ＩＤ、名前、電話番号及びメールアドレスから構成される。名前は、実施の形態１による携帯電話に登録されている友人、知人等の氏名やニックネーム等であり、ユーザが操作部８を操作して電話帳記憶部９２へ登録する。電話番号及びメールアドレスは、前記友人、知人等の連絡先である。電話帳ＩＤは、前記名前、前記電話番号及び前記メールアドレスからなる電話帳データを制御部５が取得するための参照情報であり、前記電話帳データに関連付けて電話帳記憶部９２へ記憶される。ここで、前記電話帳データは、コンテンツデータの入手元を示す情報を構成する。
【００１５】
図４は、コンテンツ記憶部９３に記憶されているデータの構成を示した図であり、コンテンツＩＤ、コンテンツデータ、タイトル、記憶日時及び入手元情報から構成されている。コンテンツデータは、ユーザがＷｅｂサイトからダウンロードした又は受信したメールに添付されていた画像（動画像、静止画像を含む）や着信メロディ等のコンテンツデータであり、コンテンツ記憶部９３に記憶された日時がファイル名として付与される。タイトルは前記コンテンツデータを入手した際に付与されていたタイトルであり、ユーザが編集して変更することも可能である。記憶日時は前記コンテンツデータをコンテンツ記憶部９３へ記憶した日付及び時間である。
【００１６】
また、入手元情報は、制御部５が前記ブックマークデータ及び前記電話帳データを取得する際に使用する参照情報であり、コンテンツデータがＷｅｂサイトからダウンロードされたものである場合にはブックマークＩＤが、コンテンツデータがメールに添付されたものである場合には電話帳ＩＤが入手元情報として前記コンテンツデータに関連付けて記憶される。前記コンテンツＩＤは、コンテンツデータ、タイトル、記憶日時及び入手元情報からなるコンテンツ記憶データを管理するために、前記コンテンツ記憶データ毎に付与される固有番号である。なお、入手元情報はユーザの操作に基づいて記憶されるが、記憶されない場合もある。受信メール記憶部９４は、アンテナ１を介して外部より送信されてきたメールを記憶する。
【００１７】
次に動作について説明をする。
図５は、Ｗｅｂサイトからコンテンツデータをダウンロードしてコンテンツ記憶部９３へ記憶する際の動作を示したフローチャートである。ユーザがＷｅｂサイトにアクセスして、前記Ｗｅｂサイトからコンテンツデータをダウンロードして記憶操作を行うと、制御部５は前記コンテンツデータを前記Ｗｅｂサイトのブックマークデータと関連付けて記憶するかどうか確認を行う（ステップＳＴ１）。具体的には、表示部４へ「ブックマークデータと関連付けますか？」と携帯電話の画面に表示するよう指示する。
【００１８】
表示部４はその旨を携帯電話の画面に表示する。ここでユーザがブックマークデータを関連付けて記憶しない場合、制御部５はダウンロードしたコンテンツデータへファイル名及びコンテンツＩＤを付与して、タイトル、記憶日時と共にコンテンツ記憶部９３へ記憶（ステップＳＴ１０）し処理を終了する。なお、この場合には、前記コンテンツデータの入手元情報は記憶されないこととなる。
【００１９】
ユーザがステップＳＴ１において、ブックマークデータを関連付けて記憶する場合、制御部５はブックマークを新規登録するかどうかの確認を行う（ステップＳＴ２）。具体的には、表示部４へ「ブックマークを新規登録しますか？」と携帯電話の画面に表示するよう指示し、表示部４はその旨を携帯電話の画面に表示する。ユーザがブックマークを新規登録しない場合、制御部５はブックマーク記憶部９１に記憶されている全てのブックマークデータを携帯電話の画面に表示するよう表示部４へ指示する。
【００２０】
表示部４が、ブックマーク記憶部９１に記憶されている全てのブックマークデータを携帯電話の画面に表示すると（ステップＳＴ７）、ユーザは携帯電話の操作部８を操作して、携帯電話の画面に表示されたブックマークデータから１のブックマークデータを選択する。次に、制御部５は、選択したブックマークデータの編集を行うかどうかの確認を行う（ステップＳＴ８）。具体的には、制御部５は「ブックマークデータの編集を行いますか？」と携帯電話の画面に表示するように表示部４へ指示し、表示部４はその旨を携帯電話の画面に表示する。
【００２１】
ユーザがブックマークの編集を行わない場合、制御部５はダウンロードしたコンテンツデータへファイル名及びコンテンツＩＤを付与して、タイトル、記憶日時と共にコンテンツ記憶部９３へ記憶（ステップＳＴ１０）する。次に、制御部５はユーザが選択したブックマークデータのブックマークＩＤをステップＳＴ１０で記憶したコンテンツデータの入手元情報として前記コンテンツデータに関連付けてコンテンツ記憶部９３に記憶（ステップＳＴ１１）し処理を終了する。
【００２２】
ステップＳＴ８にて、ユーザがブックマークデータの編集を行う旨の選択をし、ブックマークデータを編集すると（ステップＳＴ９）、制御部５はダウンロードしたコンテンツデータへファイル名及びコンテンツＩＤを付与して、タイトル、記憶日時と共にコンテンツ記憶部９３へ記憶（ステップＳＴ１０）する。次に、制御部５はステップＳＴ９で編集を行ったブックマークデータのブックマークＩＤをステップＳＴ１０で記憶したコンテンツデータの入手元情報として前記コンテンツデータに関連付けてコンテンツ記憶部９３に記憶（ステップＳＴ１１）し処理を終了する。
【００２３】
ステップＳＴ２にて、ユーザがブックマークを新規登録する場合、制御部５はコンテンツデータをダウンロードしたＷｅｂサイトのＵＲＬを取得（ステップＳＴ３）した後、Ｗｅｂサイトのサイト名を取得する（ステップＳＴ４）。次に制御部５は、前記ＵＲＬ及び前記サイト名からなるブックマークデータを生成し（ステップＳＴ５）、ブックマークＩＤを付与する。次に制御部５は、生成したブックマークＩＤを前記ブックマークデータに関連付けて、前記ブックマークデータと共にブックマーク記憶部９１へ記憶する（ステップＳＴ６）。
【００２４】
次に、制御部５はダウンロードしたコンテンツデータへファイル名及びコンテンツＩＤを付与して、タイトル、記憶日時と共にコンテンツ記憶部９３へ記憶（ステップＳＴ１０）する。次に、制御部５はステップＳＴ６でブックマーク記憶部９１へ記憶したブックマークデータに付与したブックマークＩＤをステップＳＴ１０で記憶したコンテンツデータの入手元情報として前記コンテンツデータに関連付けてコンテンツ記憶部９３に記憶（ステップＳＴ１１）し処理を終了する。
【００２５】
図６は、外部から送信されたメールに添付されたコンテンツデータをコンテンツ記憶部９３へ記憶する際の動作を示したフローチャートである。本発明の実施の形態１による携帯電話が、コンテンツデータが添付されたメールを受信し、ユーザが前記メールに添付されたコンテンツデータの記憶操作を行うと、制御部５は前記コンテンツデータを電話帳データと関連付けて記憶するかどうかの確認を行う（ステップＳＴ２０）。
【００２６】
具体的には、制御部５は「電話帳データと関連付けますか？」と携帯電話の画面へ表示するように表示部４へ指示し、表示部４はその旨を携帯電話の画面へ表示する。ステップＳＴ２０において、ユーザが電話帳データと関連付ける場合、制御部５は受信したメールのメールアドレスを新規登録するかどうかの確認を行う（ステップＳＴ２１）。具体的には、表示部４へ「メールアドレスを新規登録しますか？」と携帯電話の画面に表示するように指示し、表示部４は、携帯電話の画面にその旨を表示する。
【００２７】
ステップＳＴ２１において、ユーザがメールアドレスを新規登録する場合、制御部５はコンテンツデータが添付されていたメールの送信元アドレスを取得する（ステップＳＴ２２）。次に、ユーザがメールを送信してきた人物の名前及び電話番号を、操作部８を操作して入力すると、制御部５は入力された名前を取得（ステップＳＴ２３）した後、電話番号を取得する（ステップＳＴ２４）。次に制御部５は取得した名前、電話番号、メールアドレスからなる電話帳データを生成し（ステップＳＴ２５）、電話帳ＩＤを付与する。次に、制御部５は、生成した電話帳ＩＤを前記電話帳データに関連付けて電話帳データとともに電話帳記憶部９２へ記憶する（ステップＳＴ２６）。
【００２８】
次に、制御部５はメールに添付されたコンテンツデータへファイル名及びコンテンツＩＤを付与して、タイトル、記憶日時と共にコンテンツ記憶部９３へ記憶（ステップＳＴ３０）する。次に、制御部５はステップＳＴ２６で電話帳記憶部９２へ記憶した電話帳データの電話帳ＩＤを、ステップＳＴ３０で記憶したコンテンツデータの入手元情報として前記コンテンツデータに関連付けて記憶（ステップＳＴ３１）し処理を終了する。
【００２９】
ステップＳＴ２１において、ユーザがメールアドレスを新規登録しない場合、制御部５は電話帳記憶部９２に記憶されている全ての電話帳データを携帯電話の画面に表示するよう表示部４へ指示し、表示部４は全ての電話帳データを携帯電話の画面に表示する（ステップＳＴ２７）。次にユーザが電話帳データから１の電話帳データの選択を行うと、制御部５は選択された電話帳データの編集を行うかどうかの確認を行う（ステップＳＴ２８）。具体的には、表示部４へ「電話帳データの編集を行いますか？」と携帯電話の画面へ表示するように指示し、表示部４は携帯電話の画面にその旨を表示する。
【００３０】
ステップＳＴ２８にて、ユーザが電話帳データを編集する旨を選択して電話帳データの編集を行うと（ステップＳＴ２９）、制御部５はメールに添付されたコンテンツデータへファイル名及びコンテンツＩＤを付与して、タイトル、記憶日時と共にコンテンツ記憶部９３へ記憶（ステップＳＴ３０）する。次に、制御部５はステップＳＴ２９で編集を行った電話帳データの電話帳ＩＤを、ステップＳＴ３０で記憶したコンテンツデータの入手元情報として前記コンテンツデータに関連付けて記憶（ステップＳＴ３１）し処理を終了する。
【００３１】
ステップＳＴ２８において、ユーザが電話帳データを編集しない場合、制御部５はメールに添付されたコンテンツデータへファイル名及びコンテンツＩＤを付与し、タイトル、記憶日時と共にコンテンツ記憶部９３へ記憶する（ステップＳＴ３０）。次に制御部５は、ユーザが選択した電話帳データの電話帳ＩＤを、ステップＳＴ３０で記憶したコンテンツデータの入手元情報として前記コンテンツデータに関連付けて記憶（ステップＳＴ３１）し処理を終了する。
【００３２】
ステップＳＴ２０において、ユーザが電話帳データと関連付けて記憶しない場合、制御部５はメールに添付されたコンテンツデータへファイル名及びコンテンツＩＤを付与し、タイトル、記憶日時と共にコンテンツ記憶部９３へ記憶する（ステップＳＴ３０）。なお、この場合、前記コンテンツデータの送信元情報は記憶されないこととなる。
【００３３】
図７は、コンテンツ記憶部９２に記憶されているコンテンツデータを閲覧する際の動作を示したフローチャートである。本発明の携帯電話のユーザが操作部８を使用してコンテンツデータの閲覧操作を行うと（ステップＳＴ４０）、制御部５は携帯電話の画面にコンテンツデータを表示するように表示部４へ指示し、表示部４はコンテンツデータを携帯電話の画面へ表示する（ステップＳＴ４１）。次に、制御部５は、前記コンテンツデータの入手元情報としてブックマークＩＤが記憶されているのかどうかの確認を行う（ステップＳＴ４２）。
【００３４】
入手元情報としてブックマークＩＤが記憶されている場合、制御部５は携帯電話の画面にＭＥＮＵ欄を表示するように表示部４へ指示し、表示部４は前記指示に従い携帯電話の画面へＭＥＮＵ欄の表示を行う（ステップＳＴ４４）。図８は、携帯電話の画面にＭＥＮＵ欄を表示した図である。図８中、符号１０は、携帯電話の画面に表示されたコンテンツデータ、符号１１は携帯電話の画面に表示されたＭＥＮＵ欄である。図８に示すようにＭＥＮＵ欄１１は、コンテンツデータ１０に重ねて表示される。ＭＥＮＵ欄１１の欄内には、“ＭＥＮＵ”の表題と共に“［１］入手サイト表示”及び“［２］入手サイト接続”の文字が表示され、ユーザは操作部８を操作して“［１］入手サイト表示”又は“［２］入手サイト接続”のいずれかを選択できる。
【００３５】
次に、制御部５は、ユーザが“［１］入手サイト表示”を選択したかどうかの確認を行う（ステップＳＴ４６）。ユーザが“［１］入手サイト表示”を選択した場合、制御部５は、表示されているコンテンツデータの入手元情報であるブックマークＩＤに関連づけてブックマーク記憶部９１に記憶されているブックマークデータを取得する（ステップＳＴ５１）。次に制御部５は、入手サイト表示欄を携帯電話の画面に表示して、取得したブックマークデータからサイト名及びＵＲＬを前記入手サイト表示欄の欄内へ表示するよう表示部４へ指示する。表示部４は入手サイト表示欄を携帯電話の画面に表示して、前記入手サイト表示欄の欄内にサイト名及びＵＲＬを表示して（ステップＳＴ５２）処理を終了する。
【００３６】
図９は、入手サイト表示欄を表示した携帯電話の画面を示した図である。符号１２は、入手サイト表示欄であり、“入手サイト表示”の表題と共に、ステップＳＴ５１で取得した“サイト名”及び“ＵＲＬ”が欄内に表示される。ここでは、図２に示したコンテンツ記憶部９３に記憶されているコンテンツＩＤ００３のコンテンツデータ１０が携帯電話の画面に表示されており、このコンテンツデータ１０の入手元情報に記憶されているブックマークＩＤ００２に関連付けられたサイト名及びＵＲＬが入手サイト表示欄１２の欄内に表示されている。
【００３７】
ユーザが“［１］入手サイト表示”を選択しなかった場合、制御部５はユーザが“［２］入手サイト接続”を選択したかどうかの確認を行う（ステップＳＴ４７）。ステップＳＴ４７にて、ユーザが“［２］入手サイト接続”を選択した場合、制御部５は、表示されているコンテンツデータの入手元情報であるブックマークＩＤに関連づけてブックマーク記憶部９１に記憶されているブックマークデータを取得する（ステップＳＴ５３）。次に、制御部５は取得したブックマークデータのＵＲＬに基づきＷｅｂサイトへの接続を行い（ステップＳＴ５４）、処理を終了する。ステップＳＴ４７にて、ユーザが“［２］入手サイト接続”を選択しなかった場合、制御部５は、所定の時間経過後に処理を終了する。
【００３８】
ステップＳＴ４２において、ブックマークＩＤが送信元情報として関連付けられていない場合、制御部５は、送信元情報として電話帳ＩＤが関連付けられているかどうかの確認を行う（ステップＳＴ４３）。送信元情報として電話帳ＩＤが関連付けられている場合、制御部５は、携帯電話の携帯電話の画面にＭＥＮＵ欄を表示するように表示部４へ指示する。表示部４は、前記指示に従い携帯電話の画面へＭＥＮＵ欄の表示を行う（ステップＳＴ４５）。図１０は、携帯電話の画面にＭＥＮＵ欄を表示した図である。図１０中、符号１３は携帯電話の画面に表示されたコンテンツデータ、符号１４は携帯電話の画面に表示されたＭＥＮＵ欄である。図１０に示すようにＭＥＮＵ欄１４は、コンテンツデータ１３に重ねて表示される。ＭＥＮＵ欄１４の欄内には“ＭＥＮＵ”の表題と共に“［１］送信元表示”、“［２］送信元へ電話”及び“［３］送信元へメール”の文字が表示され、ユーザは操作部８を使用して“［１］送信元表示”、“［２］送信元へ電話”及び“［３］送信元へメール”のいずれかを選択できる。
【００３９】
次に、制御部５は、ユーザが“［１］送信元表示”を選択したかどうかの確認を行う（ステップＳＴ４８）。ユーザが“［１］送信元表示”を選択した場合、制御部５は、表示されているコンテンツデータの入手元情報であるブックマークＩＤに関連づけて電話帳記憶部９２に記憶されている電話帳データを構成する名前を取得する（ステップＳＴ５５）。次に制御部５は、送信元表示欄を携帯電話の画面に表示して、ステップＳＴ５５で取得した名前を前記送信元表示欄の欄内へ表示するよう表示部４へ指示する。表示部４は送信元表示欄を携帯電話の画面に表示し、前記送信元表示欄の欄内に名前を表示して（ステップＳＴ５６）処理を終了する。
【００４０】
図１１は、送信元表示欄を表示した携帯電話の画面を示した図であり、送信元表示欄の欄内には、ステップＳＴ５５で取得した名前が表示される。ここでは、図３に示したコンテンツ記憶部９３に記憶されているコンテンツＩＤが“００１”のコンテンツデータが携帯電話の画面に表示されており、このコンテンツデータの入手元情報として記憶されている電話帳ＩＤ００１に関連付けられた名前“あっちゃん”が、“送信元表示”の表題と共に欄内に表示されている。
【００４１】
ステップＳＴ４８にて、ユーザが“［１］送信元表示”を選択しなかった場合、制御部５は、ユーザが“［２］送信元へ電話”を選択したかどうかの確認を行う（ステップＳＴ４９）。ユーザが“［２］送信元へ電話”を選択した場合、制御部５は、表示されているコンテンツデータの入手元情報であるブックマークＩＤに関連づけて電話帳記憶部９２に記憶されている電話帳データを構成する電話番号を取得する（ステップＳＴ５７）。次に制御部５は、前記電話番号の発呼を行い（ステップＳＴ５８）処理を終了する。これによりユーザは、メールを送信した相手先との通話が可能となる。
【００４２】
ステップＳＴ４９にて、ユーザが“［２］送信元へ電話”を選択しなかった場合、制御部５は、ユーザが“［３］送信元へメール”を選択したかどうかの確認を行う（ステップＳＴ５０）。ユーザが“［３］送信元へメール”を選択した場合、制御部５は、表示されているコンテンツデータの入手元情報であるブックマークＩＤに関連づけて電話帳記憶部９２に記憶されている電話帳データを構成するメールアドレスを取得する（ステップＳＴ５９）。次に制御部５は、ステップＳＴ５９で取得したメールアドレスを送信先アドレスとしたメールを生成して（ステップＳＴ６０）処理を終了する。ユーザは、メールのタイトル及び本文等を作成してメールを完成させた後、メールの送信を行うことができる。ステップＳＴ５０にて、ユーザが“［３］送信元へメール”を選択しなかった場合、制御部５は、所定の時間経過後に処理を終了する。
【００４３】
以上のように、本発明の実施の形態１による携帯電話によれば、Ｗｅｂサイトからダウンロードしたコンテンツデータを、前記Ｗｅｂサイトのサイト名及びＵＲＬから構成されるブックマークデータに関連付けて記憶するようにしたので、前記コンテンツデータを閲覧した際に、容易に前記コンテンツデータの入手元を確認することができる。また、必要に応じて前記Ｗｅｂサイトへのアクセスすることができる効果がある。
【００４４】
また、メールに添付されたコンテンツデータを、前記メールの送信元の名前、電話番号及びメールアドレスから構成される電話帳データに関連付けて記憶するようにしたので、前記コンテンツデータを閲覧した際に、容易に前記メールの送信元の名前を確認する、送信元へ電話をかける、送信元へメールを送るといったことができる効果がある。
【００４５】
また、ブックマークＩＤ及び電話帳ＩＤをコンテンツデータに関連付けて記憶しているので、ブックマークデータ及び電話帳データの編集を行った場合にも、編集を行ったブックマークデータのブックマークＩＤ及び電話帳データの電話帳ＩＤに関連付けられた全てのコンテンツデータに、前記編集を反映することができる効果がある。また、コンテンツデータの入手元を確認するために履歴の検索等を行う必要が無くユーザが操作を行う際にもストレスを感じることがない。また、コンテンツが添付されていたメールを受信メール記憶部９４から消去しても、前記コンテンツデータは電話帳データと関連付けられて記憶されているため、誰からコンテンツデータを入手したか確認することができる効果がある。
【図面の簡単な説明】
【００４６】
【図１】本発明による携帯端末の構成の一例を示したブロック図である。
【図２】ブックマーク記憶部に記憶されているデータの構成を示した図である。
【図３】電話帳記憶部に記憶されているデータの構成を示した図である。
【図４】コンテンツ記憶部に記憶されているデータの構成を示した図である。
【図５】Ｗｅｂサイトからダウンロードしたコンテンツデータを記憶する際の動作を示したフローチャートである。
【図６】送信されてきたメールに添付されている添付ファイルを記憶する際の動作を示したフローチャートである。
【図７】コンテンツ記憶部に記憶されているコンテンツデータの閲覧を行う際の動作を示したフローチャートである。
【図８】本発明の携帯電話の画面にＭＥＮＵ欄を表示した図である。
【図９】入手サイト表示欄を表示した携帯電話の画面の図である。
【図１０】本発明の携帯電話の画面にＭＥＮＵ欄を表示した図である。
【図１１】送信元表示欄を表示した携帯電話の画面の図である。
【符号の説明】
【００４７】
１  アンテナ、２  送信部、３  受信部、４  表示部、５  制御部、６  レシーバ、７  マイク、８  操作部、９  記憶部、１０  コンテンツデータ、１１  ＭＥＮＵ表示欄、１２  入手サイト表示欄、１３  コンテンツデータ、１４  送信元表示欄、１５  送信元表示欄、９１  ブックマーク記憶部、９２  電話帳記憶部、９３  コンテンツ記憶部、９４  受信メール記憶部。
【図１】
2007316857.tif 000003
【図２】
2007316857.tif 000004
【図３】
2007316857.tif 000005
【図４】
2007316857.tif 000006
【図５】
2007316857.tif 000007
【図６】
2007316857.tif 000008
【図７】
2007316857.tif 000009
【図８】
2007316857.tif 000010
【図９】
2007316857.tif 000011
【図１０】
2007316857.tif 000012
【図１１】
2007316857.tif 000013